【手続補正書】
【提出日】平成20年1月30日(2008.1.30)
【手続補正１】
【補正対象書類名】明細書
【補正対象項目名】特許請求の範囲
【補正方法】変更
【補正の内容】
【特許請求の範囲】
【請求項１】  歯科用機器および関連する歯科用ユニットの水ラインを配置してなる装置；
歯科用ユニットの水ラインと流体連通して配置された電解装置であって、歯科用ユニットの水ライン内のバイオフィルムを除去し制御するのに使用することができる、電解活性化した、殺菌性を有する水溶液を製造するための装置；
ここで、該溶液は6.75と10との間のｐＨを有し、殺菌特性並びに抗酸化性、分散性および界面活性特性を有するものであり、
該電解装置は、２つの同軸の電極を有する円筒状の貫流の電気化学的セルを備え、この２つの電極の間に同軸のダイヤフラムが配置され、環状の電極内空間をカソード室とアノード室とに分離し、電解装置で、主としてアニオンを含有する水溶液と主としてカチオンを含有する水溶液とを別々に生成することができるようにし、また電解装置で該溶液を2つの分離した生成物流として、同時にまたは連続して、適用することができるようにしたものであり、また
該電解装置は、主としてアニオンを含有する水溶液と主としてカチオンを含有する水溶液との1つまたは両方を同じ電極室または対極室に分離してかつ独立に再循環させることにより、主としてアニオンを含有する水溶液と主としてカチオンを含有する水溶液との混合を行い、アニオンを含有する溶液およびカチオンを含有する溶液の特性を調整することを可能とするものである；
および、電解活性化した殺菌性溶液の源に流動的に操作しうるように接続し、水溶液を歯科用ユニットの水ラインに導入してバイオフィルムを処理する分配手段
からなることを特徴とする歯科用装置。
【請求項２】  該分配手段が、歯科患者の治療の際に、殺菌性溶液を灌注用、冷却用、潤滑用、消毒用の媒体としても歯科用機器内に分配するのに配置されていることを特徴とする請求項１に記載の歯科用装置。
【請求項３】  該分配手段が、歯内治療、歯列矯正処置、歯周処置、外科的処置、小児歯科処置、修復処置および義歯補綴処置のうちいずれか一つ以上の処置の際に、穿孔、すすぎ、超音波歯石除去および根管処理からなる群から選ばれた処理のうちいずれか一つ以上に用いるのに適することを特徴とする請求項２に記載の歯科用装置。
【請求項４】  該セルが、約７０から約１１０ｍｍ２の間の環状の、総開口断面積を有し、液体流に対して、電場への溶液の曝露を最大とするように液体乱流を起こさせ、歯科用水をミリリットル当たり２００未満のコロニー形成単位まで効果的に消毒するものであることを特徴とする請求項１に記載の歯科用装置。
【請求項５】  歯科用ユニットの水ライン内のバイオフィルムを除去しそして制御するのに使用するための電解活性化させた殺菌性の水溶液であって、該溶液は６．７５および１０の間のｐＨを有し、殺菌特性だけでなく抗酸化性、分散性および界面活性特性をも有することを特徴とし、また、該溶液は主としてアニオンを含有する水溶液と主としてカチオンを含有する別の水溶液とを含有し、ここで各々のアニオンを含有する水溶液とカチオンを含有する水溶液の特性は、主としてアニオンを含有する水溶液と主としてカチオンを含有する水溶液との1つまたは両方を、円筒状の貫流、電気化学セルの同じ電極室または対極室に分離してかつ独立に再循環させることにより、各々のアニオンを含有する水溶液とカチオンを含有する水溶液の特性を調整して、溶液を生体適合性および非−腐食性とし、また、歯科用水内のミリリットル当たりの微生物類レベルが所定のレベルとなるまで微生物類を減少せしめるように、水ラインからバイオフィルムを分散させそして取り除くことができるようにしたことを特徴とし、また、該溶液は２つの活性化した溶液からなり、その混合物は、約１体積の電解活性化した主としてカチオンを含有する溶液に対して、電解活性化した主としてアニオンを含有する溶液が約４〜５体積の割合であることを特徴とする電解活性化した殺菌性の水溶液。
【請求項６】  歯科用ユニットの水ライン内のバイオフィルムを除去することができ、同時に歯科用水内でミリリットル当たりの微生物類が２００未満のコロニー形成単位まで微生物類を減少させるように、水ラインからバイオフィルムを分散させそして取り除くことができるものであることを特徴とする請求項５に記載の水溶液。
【請求項７】  アニオン含有溶液とカチオン含有溶液との混合物；カチオン含有溶液またはアニオン含有溶液とカチオン含有溶液との混合物から生じさせたアニオン含有溶液；およびアニオン含有溶液、カチオン含有溶液またはアニオン含有溶液とカチオン含有溶液との混合物から生じさせたカチオン含有溶液からなる群から選ばれたことを特徴とする請求項５に記載の水溶液。
【請求項８】  約０．０１％〜１％の希釈食塩溶液を電解することにより、トリハロメタンの生成を最小限に抑え、したがって溶液の発癌性を最小限に抑えて、製造したことを特徴とする請求項５に記載の水溶液。
【請求項９】  歯科用ユニットおよび関連する歯科用機器の冷却用、潤滑用および灌注用媒体としても使用するのに適したものであり、よって溶液を、歯科患者の治療の際に少なくとも半連続的に使用するのに適したものとしたことを特徴とする請求項５に記載の水溶液。
【請求項１０】  アニオン含有溶液の酸化還元電位が約＋２００〜＋１２００ｍＶ、ＴＤＳが約２〜４ｇ／ｌ、ｐＨが約６．７５〜１０、伝導度が約０．１〜１０ｍＳ／ｃｍ  ｍＳ／ｃｍであり、該アニオン含有溶液が約２〜１５アンペアの電流、約２〜４８Ｖの電圧、および約２００〜５００ｍｌ／ｍｉｎの流量で製造したものであることを特徴とする請求項７に記載の水溶液。
【請求項１１】  アニオン含有溶液が、Ｃｌ２；ＨＣｌＯ；ＨＣｌ；ＨＯ２＊；ＨＯ＊；ＣｌＯ−；Ｈ２Ｏ２；１Ｏ２；Ｃｌ＊；ＨＣｌＯ２；ＣｌＯ２；Ｏ＊；ＣｌＯ；ＣｌＯ−；ＨＣｌＯ；ＯＨ−；Ｈ２Ｏ２；Ｓ２Ｏ８２−；ＣｌＯ３−；Ｃｌ２Ｏ６２−；ＨＯ２−およびＯ３からなる群から選ばれた種のいずれか一つ以上を有することを特徴とする請求項１０に記載の水溶液。
【請求項１２】  カチオン含有溶液のｐＨが約９．０〜１２．０、酸化還元電位が約−８６４ｍＶ、伝導度が約５．９２〜６．０３ｍＳ／ｃｍであることを特徴とする請求項７に記載の水溶液。
【請求項１３】  カチオン含有溶液が、ＮａＯＨ；ＫＯＨ；Ｃａ（ＯＨ）２；Ｍｇ（ＯＨ）２；ＨＯ−；Ｈ３Ｏ２；ＨＯ２−；Ｈ２Ｏ２−；Ｏ２−；ＯＨ−；Ｏ２２−；ＮａＯＨ；ＨＯ２＊；ＯＨ＊；Ｈ２Ｏ２；Ｈ＊およびＯＨ＊からなる群から選ばれた種のいずれか一つ以上を有することを特徴とする請求項１２に記載の水溶液。
【請求項１４】  ｐＨ、酸化−還元電位（ＯＲＰ）、伝導度およびＴＤＳによる測定の、受入れ歯科用水でのアニオンおよびカチオンを含有する混合溶液の活性化、曝露時間および適用中の温度を、特定の処置における水溶液の有効性を最大限利用できるように選択することを特徴とする請求項７に記載の水溶液。
【請求項１５】  水ラインおよび関連する歯科用機器を配置した歯科用ユニットのバイオフィルムを処理する方法であって、２つの同軸の電極を有する円筒状の貫流の電気化学的セルを備え、この２つの電極の間に同軸のダイヤフラムが配置され環状の電極内空間をカソード室とアノード室とに分離してなる電気化学的反応器を用意する工程；単一の供給水溶液を電気化学反応器へ導入する工程、該水溶液を電解的に活性化させ、電解的に活性化させた水溶液が主としてアニオンを含有する水溶液と別の主としてカチオンを含有する水溶液とを含むようにする工程；主としてアニオンを含有する水溶液と主としてカチオンを含有する水溶液との1つまたは両方を、同じ電極室または対極室に分離してかつ独立に再循環させることにより、各々のアニオンを含有する水溶液とカチオンを含有する水溶液の特性を調整して、生じた電解的に活性化させた殺菌性の水溶液のｐＨが６．７５と１０との間にあり、水溶液が殺菌特性並びに抗酸化性、分散性および界面活性特性を有するようにし、溶液を生体適合性および非−腐食性とし、また歯科用ユニットの水ライン内のバイオフィルムを除去することができ、同時に歯科用水内での微生物類レベルが所定のレベルとなるまで微生物類を減少せしめるように水ラインからバイオフィルムを分散させそして取り除くことができるようにする工程；および、アニオンを含有する水溶液とカチオンを含有する水溶液とを同時にまたは連続して、水ライン内に導入して水ラインのバイオフィルムを除去する工程を含むことを特徴とする方法。
【請求項１６】  溶液を、また、歯科用ユニットおよび関連する歯科用機器の冷却用、潤滑用および灌注用媒体として、歯科患者の治療の際に少なくとも半連続的に導入する工程を含むことを特徴とする請求項１５に記載のバイオフィルムを処理する方法。
【請求項１７】  殺菌性溶液を、歯科用ユニットの操作中に連続的な態様で水ラインに導き、それにより歯科用機器へ冷却用、潤滑用および灌注用の媒体を付与する間、歯科用水を連続的に消毒することを確かなものとすることを特徴とする請求項１６に記載のバイオフィルムを処理する方法。
【請求項１８】  約１Ａ〜１５Ａの比較的低い電流と約１Ｖ〜４８Ｖの比較的高い電圧の下でセルを操作して、電極表面と電解質との界面に約１０６Ｖ／ｃｍの比較的高い電圧勾配を、またセル当たり、約３５〜３５０ｍｌ／ｍｉｎの間の流量で全活性化溶液を与えることを特徴とする請求項１５に記載の方法。
【請求項１９】  歯科用ユニットの水ライン内のバイオフィルムの処理における電解活性化させた水溶液の使用であって、該溶液のpHが6.75と10との間にあり、該溶液が、殺菌特性ならびに抗酸化性、分散性および界面活性剤特性を有し、該溶液を生体適合性および非−腐食性とし、また歯科用ユニットの水ライン内のバイオフィルムを除去することができ、同時に歯科用水内での微生物類レベルが所定のレベルとなるまで微生物類を減少せしめるように水ラインからバイオフィルムを分散させそして取り除くことができるようにせしめたものであり、また、該溶液が主としてアニオンを含有する水溶液と主としてカチオンを含有する水溶液との両方を含み、また、該溶液が、主としてアニオンを含有する水溶液と主としてカチオンを含有する水溶液との1つまたは両方を、円筒状の貫流の電気化学セルの同じ電極室または対極室に分離してかつ独立に再循環させることにより、その特性が調整されることを特徴とする使用。
【請求項２０】  生理食塩水溶性を電解活性化させて、電解活性化させた水溶液が主としてアニオンを含有する水溶液と別の主としてカチオンを含有する水溶液との両方を含むものとする工程；アニオンを含有する水溶液とカチオンを含有する水溶液との1つまたは両方を、同じ電極室または対極室に分離してかつ独立に再循環させることにより、各々のアニオンを含有する水溶液とカチオンを含有する水溶液の特性を調整して、生じた電解活性化させた殺菌性の水溶液のｐＨが６．７５と１０との間にあり、水溶液が殺菌特性並びに抗酸化性、分散性および界面活性特性を有するようにし、しかして溶液を生体適合性および非−腐食性とし、また歯科用ユニットの水ライン内のバイオフィルムを除去することができ、同時に歯科用水内での微生物類レベルが所定のレベルとなるまで微生物類を減少せしめるように水ラインからバイオフィルムを分散させそして取り除くことができるようにする工程；および、電解活性化させた、アニオンを含有する水溶液とカチオンを含有する水溶液とを、歯科患者の治療の際に、同時にまたは連続して、水ライン内に導入する工程を含むことを特徴とするデンタルヘルスケアの方法。